(57)【特許請求の範囲】
【請求項１】
遊技動作を主に制御する主制御基板を収納した主基板ケースと、遊技動作を補助的に制御する補助制御基板を収納した補助基板ケースと、をパチンコ遊技機内に固定された保持台板に着脱可能に装着するパチンコ遊技機の基板収納ケースの着脱構造において、
該保持台板上に主基板ケースを保持する主基板ケース保持部と補助基板ケースを保持する補助基板ケース保持部とが設けられ、該主基板ケース保持部には、該主基板ケースを係止する主基板ケース係止手段が設けられ、該補助基板ケース保持部には、該補助基板ケースを係止する補助基板ケース係止手段が設けられ、該補助基板ケースが該主基板ケース係止手段を覆って該保持台板の補助基板ケース保持部に装着され、該補助基板ケース係止手段によって係止されるように構成されたことを特徴とするパチンコ遊技機の基板収納ケースの着脱構造。
【請求項２】
前記主基板ケース係止手段は、前記主基板ケース保持部で前記主基板ケースを係止する係止爪と係止開口部とを有し、該主基板ケースを取り外す際には、前記補助基板ケース係止手段による係止を解除して補助基板ケースを前記保持台板から外した状態で、前記主基板ケース係止手段の前記係止爪と係止開口部との係止を解除して該主基板ケースを取り外すことを特徴とする請求項１記載のパチンコ遊技機の基板収納ケースの着脱構造。
【発明の詳細な説明】
【技術分野】
【０００１】
本発明は、パチンコ遊技機の制御基板を収納する基板収納ケースの着脱構造に関し、特に、主基板ケースと補助基板ケースを含む複数の基板ケースを設けたパチンコ遊技機において、主制御基板を収納した主基板ケースを取り外す際には、時間を必要とするようにしたパチンコ遊技機の基板収納ケースの着脱構造に関する。
【背景技術】
【０００２】
パチンコ遊技機の制御基板には、通常、ＣＰＵと共に遊技制御用ＲＯＭ、ＲＡＭ、クロック発振器、インターフェイス回路等を実装した主制御基板、ランプを制御する制御回路を実装したランプ制御基板、音声を制御する制御回路を実装した音声制御基板等があり、これらの制御基板は、各々主制御基板用収納ケース、ランプ制御基板用収納ケース、音声制御基板用収納ケースに収納され、パチンコ遊技機の本体枠内に取り付けられる。
【０００３】
主制御基板に実装される遊技制御用ＲＯＭには、周知のように、特別遊技状態（大当たり）を発生させる確率や条件、連続発生回数等を制御するプログラムが書き込まれ、不正に遊技制御用ＲＯＭが交換された場合、特別遊技状態（大当たり）を発生させる確率が大きく変わり、不正に景品球が払い出されるという問題が生じる。
【０００４】
このため、パチンコ遊技機の主制御基板は、通常、ケース状のカバー体と取付台板からなる基板収納ケース内に収納され、製品の出荷時に、カバー体と取付台板間に封印紙を貼着することにより、基板収納ケースが不正に開かれることを防止している。そして、各基板収納ケースは、本体枠内に設けられた保持台板上に取り付けられる。
【発明の開示】
【発明が解決しようとする課題】
【０００５】
しかしながら、この種の基板収納ケースは、主制御基板を基板収納ケース内に収納し封印紙の貼着及びカシメ着がなされているものの、本体枠内に設けられた保持台板上に着脱可能に取り付けられ、遊技機の保守点検、修理、改良等のために、基板収納ケースを保持台板に対し取外し可能に装着している。このため、遊技機の前面枠が不正に解錠され、主制御基板を主基板ケースごと、不正なものと取り替えられてしまう不正行為が発生していた。
【０００６】
このような不正行為は、パチンコ遊技場の営業時間中に、不正に前面枠を開き、本体枠内の主制御基板をその主基板ケースごと不正なものと交換してしまうものであるが、非常に短時間のうちにその不正交換が行なわれ、その不正な主制御基板を収納した主基板ケースの外観が真正なものと非常に似ているため、不正行為があったことを発見することが難しく、不正な主制御基板上のＲＯＭのプログラムにより遊技機が動作した場合、例えば非常に高い確率で大当たりが発生し、不正に多量の景品球が払い出されるという問題が発生していた。
【０００７】
本発明は、上記の点に鑑みてなされたもので、主制御基板等を収納した重要な主基板ケースの不正交換を未然に防止することができるパチンコ遊技機の基板収納ケースの着脱構造を提供することを目的とする。
【課題を解決するための手段】
【０００８】
上記目的を達成するために、本発明のパチンコ遊技機の基板収納ケースの着脱構造は、遊技動作を主に制御する主制御基板を収納した主基板ケースと、遊技動作を補助的に制御する補助制御基板を収納した補助基板ケースと、をパチンコ遊技機内に固定された保持台板に着脱可能に装着するパチンコ遊技機の基板収納ケースの着脱構造において、該保持台板上に主基板ケースを保持する主基板ケース保持部と補助基板ケースを保持する補助基板ケース保持部とが設けられ、該主基板ケース保持部には、該主基板ケースを係止する主基板ケース係止手段が設けられ、該補助基板ケース保持部には、該補助基板ケースを係止する補助基板ケース係止手段が設けられ、該補助基板ケースが該主基板ケース係止手段を覆って該保持台板の補助基板ケース保持部に装着され、該補助基板ケース係止手段によって係止されるように構成されたことを特徴とする。
【０００９】
ここで、上記構成の基板収納ケース装置における主基板ケース係止手段は、上記主基板ケース保持部で上記主基板ケースを係止する係止爪と係止開口部とを有し、該主基板ケースを取り外す際には、上記補助基板ケース係止手段による係止を解除して補助基板ケースを上記保持台板から外した状態で、該主基板ケース係止手段の前記係止爪と係止開口部との係止を解除して該主基板ケースを取り外すように構成することができる。
【発明の効果】
【００１０】
上記構成の基板収納ケースの着脱構造では、主基板ケースを取外す際には、先ず、補助基板ケース係止手段である例えば係止爪を押して、補助基板ケースの係合を外し、補助基板ケースを保持台板上から取り外して、主基板ケース係止手段を露出させ、次に、主基板ケース係止手段である係止爪を押して、主基板ケースの係合を外し、保持台板から主基板ケースを取り外すことになる。したがって、主制御基板を内蔵した主基板ケースは、補助基板ケースを保持台板から取り外した後でなければ、外すことができず、遊技場で営業時間中に、非常に短時間のうちに主基板ケースを不正交換するという不正行為を未然に防止することができる。
【発明を実施するための最良の形態】
【００１１】
以下、本発明の一実施形態を図面に基づいて説明する。図１はパチンコ遊技機の背面図を示している。図１において、木枠２の前面に前面枠が蝶番を介して開閉可能に装着され、前面枠の内側には遊技盤３が着脱可能に取り付けられる。さらに、遊技盤３の背面側には、合成樹脂製の機構板４がヒンジを介して回動可能に装着される。
【００１２】
機構板４の中央に開口部が形成され、その開口部に位置する入賞球の集合部を裏側から覆うように、合成樹脂製の保護カバー５が装着される。この保護カバー５の背面に、本発明に係る基板収納ケース装置１が取り付けられる。基板収納ケース装置１の隣には図柄変動表示装置の背面部が背面側に突出し、図柄変動表示装置の背面部に入賞球の検出信号等を中継するコネクタを設けた中継基板（図示せず）が取り付けられる。
【００１３】
さらに、機構板４の上部には払出用の賞球を貯留する賞球タンク６が設けられ、賞球タンク６の下側にタンクレール７が接続される。タンクレール７の流下端に略Ｓ字状の誘導レールが接続され、その誘導レールの下に賞球払出機構８が配設される。賞球払出機構８にはモータにより回転駆動されるロータが内蔵され、ロータの回転に応じて制御された数の賞球が払い出される。払い出された賞球を磁気的または光学的に検出する球検出器８ａがその下部に設けられる。
【００１４】
一方、機構板４の下部には入賞球を集合させる入賞球集合樋１９が設けられ、入賞球集合樋１９の下流側に入賞球排出機構が設けられると共に、入賞球を検出する入賞球検出器９が配設される。
【００１５】
保護カバー５の背面に取り付けられる基板収納ケース装置１は、図２の保持台板１０、図３の主基板ケース３０、図４（ａ）の補助基板ケース４０、及び図４（ｂ）の補助基板ケース５０から構成される。保持台板１０は、図２に示すように、主基板ケース３０を保持させる主基板ケース保持部１１を中央部に設け、その左右両側に補助基板ケース保持部１２、１３を設けて平板状に形成される。
【００１６】
主基板ケース保持部１１は、大型の主基板ケース３０を保持するように広い面積を持って形成され、中央に係止爪１４を設け、その下方に下支持板１５を水平に突設し、側壁部に側板１６を形成し、その側板１６の前面側に保持台板１０との間で主基板ケース３０を挟むように保持する挟持縁部１７が形成される。また、左右の補助基板ケース保持部１２、１３の下部には、後述の補助基板ケース４０、５０の係止爪４６、５６が係止されるための補助基板係止開口部１８、１９が形成され、さらに下支持板２０、２１が水平に突設される。
【００１７】
補助基板ケース保持部１２の右側部と補助基板ケース保持部１３と左側部には、補助基板ケース４０、５０の両側に突設された係合凸部４４、４５、５４、５５を摺動可能にガイドするためのガイド部２２、２３が縁部に縦に形成され、このガイド部２２、２３には、外れを防止するために、係合凸部２４、２５、２６、２７が内側に突設して設けられる。
【００１８】
主基板ケース３０は図３に示すように、矩形のケース板３１上を覆うようにケースカバー３２を被せて矩形箱状に構成され、ケースカバー３２はケース板３１に対し開閉可能に形成され、ケース板３１の略中央には、上記主基板ケース保持部１１の係止爪１４が係止可能な主基板係止開口部３５が矩形孔として形成される。この主基板係止開口部３５は、主基板ケース保持部１１の係止爪１４の位置が中央であるのに対し、中央位置より右側にずれて形成され、係止爪１４と主基板係止開口部３５の係止状態で、主基板ケース３０の左側が空いている場合、主基板ケース３０を左側にずらすことが可能である。
【００１９】
さらに、ケース板３１の正面視で左側の縁部に係合縁部３３が形成され、右側の縁部には鉤形係合縁部３４が形成される。左側の係合縁部３３は後述の左側の補助基板ケース４０の係合縁部と係合し、右側の鉤形係合縁部３４は後述の右側の補助基板ケース４０の鉤形係合縁部４３と係合可能に形成される。
【００２０】
補助基板ケース４０は、図４（ａ）に示すように、矩形のケース板４１上を覆うようにケースカバー４２を被せて矩形箱状に構成され、ケースカバー４２はケース板４１に対し開閉可能に形成され、ケース板４１の下部には、上記補助基板ケース保持部１２の係止開口部１８に係止可能な係止爪４６が下方に突設される。さらに、ケース板４１の正面視で左側の縁部に鉤形係合縁部４３が形成され、右側の縁部には係合凸部４４、４５が形成される。左側の鉤形係合縁部４３は上記中央の主基板ケース３０の右側の鉤形係合縁部３４と係合し、右側の係合凸部４４、４５は保持台板１０の補助基板ケース保持部１２の係合凸部２４、２５と係合可能に形成される。
【００２１】
同様に、補助基板ケース５０は、図４（ｂ）に示すように、矩形のケース板５１上を覆うようにケースカバー５２を被せて矩形箱状に構成され、ケースカバー５２はケース板５１に対し開閉可能に形成され、ケース板５１の下部には、上記補助基板ケース保持部１３の係止開口部１９に係止可能な係止爪５６が下方に突設される。さらに、ケース板５１の正面視で右側の縁部に係合縁部５３が形成され、左側の縁部には係合凸部５４、５５が形成される。右側の係合縁部５３は上記中央の主基板ケース３０の左側の係合縁部３３と係合し、左側の係合凸部５４、５５は保持台板１０の補助基板ケース保持部１３の係合凸部２６、２７と係合可能に形成される。
【００２２】
なお、図示は省略されているが、各主基板ケース３０及び補助基板ケース４０、５０には、配線接続を行なうためにコネクタ窓が設けられている。
【００２３】
上記構成の保持台板１０は、パチンコ遊技機内の保護カバー５の背面側に固定され、その保持台板１０上には、図５〜図７に示すように、上記主基板ケース３０及び補助基板ケース４０、５０が取外し可能に装着される。主制御基板Ａは、主基板ケース３０のケース板３１上に取り付けられ、その上からケースカバー３２が被せられ、固定ねじ等でケースカバー３２が固定される。同様に、補助制御基板としてのランプ制御基板Ｂは、補助基板ケース４０のケース板４１上に取り付けられ、その上からケースカバー４２が被せられ、固定ねじ等でケースカバー４２が固定される。また、音声制御基板Ｃは、補助基板ケース５０のケース板５１上に取り付けられ、その上からケースカバー５２が被せられ、固定ねじ等でケースカバー５２が固定される。
【００２４】
保持台板１０上に主基板ケース３０及び補助基板ケース４０、５０を取り付ける場合、先ず、図５に示すように、補助基板ケース４０、５０を保持台板１０の両側の補助基板ケース保持部１２、１３に上方から差し込むように、装着する。このとき、補助基板ケース４０を補助基板ケース保持部１２に差し込むと、補助基板ケース４０の右側の係合凸部４４、４５が保持台板１０側のガイド部２２の係合凸部２４、２５に係合しながら下方に摺動し、ケース下部の係止爪４６が係止開口部１８に係止されたとき、補助基板ケース４０の下部が下支持板２０に当接し、補助基板ケース４０は係合凸部２４、２５と係合凸部４４、４５の係合及び係止爪４６と係止開口部１８の係止により定位置に嵌着される。
【００２５】
同様に、補助基板ケース５０を補助基板ケース保持部１３に差し込むと、補助基板ケース５０の左側の係合凸部５４、５５が保持台板１０側のガイド部２３の係合凸部２６、２７に係合しながら下方に摺動し、ケース下部の係止爪５６が係止開口部１９に係止されたとき、補助基板ケース５０の下部が下支持板２１に当接し、補助基板ケース５０は係合凸部２６、２７と係合凸部５４、５５の係合及び係止爪５６と係止開口部１９の係止により定位置に嵌着される。
【００２６】
次に、主基板ケース３０を図６に示すように、保持台板１０上の中央部に上方から差し込む。このとき、主基板ケース３０を主基板ケース保持部１１に差し込むと、主基板ケース３０の右側の鉤形係合縁部３４が補助基板ケース４０の鉤形係合縁部４３と係合してそこを摺動し、主基板ケース３０の左側の係合縁部３３が補助基板ケース５０の係合縁部５３と係合してそこを摺動する。そして、ケース板３１中央の主基板係合開口部３５が保持台板１０側の係止爪１４に係止されたとき、主基板ケース３０の下部が下支持板１５に当接し、主基板ケース３０は、鉤形係合縁部３４と補助基板ケース４０側の鉤形係合縁部４３の係合、係合縁部３３と係合縁部５３の係合、及び係止爪１４と主基板係止開口部３５の係止により定位置に嵌着される。
【００２７】
このように、主基板ケース３０を差し込む際、鉤形係合縁部３３と鉤形係合縁部３４及び係合縁部３３と係合縁部５３が相互にガイドレールのように作用し、円滑に摺動させ、定位置に嵌着することができる。また、この嵌着状態では、主基板ケース３０の下部右側が保持台板１０側の挟持縁部１７に挟持され、その両側の鉤形係合縁部４３と鉤形係合縁部３４、係合縁部３３と係合縁部５３、及び係止爪１４と主基板係止開口部３５が完全に係合しているから、主基板ケース３０は動かすことも、外すことも不可能となる。
【００２８】
なお、上記では、先に補助基板ケース４０、５０を保持台板１０上に装着し、最後に主基板ケース３０を装着したが、最初に主基板ケース３０を定位置に装着し、次に補助基板ケース４０、５０をその両側に装着することもできる。
【００２９】
一方、主基板ケース３０を保持台板１０から外す場合には、上記のように主基板ケース３０は動かすことも、外すことも不可能であるから、両側の補助基板ケース４０、５０を保持台板１０上から外した後、主基板ケース３０を最後に外すことになる。
【００３０】
すなわち、図８に示すように先ず、右の補助基板ケース４０の係止爪４６を押して保持台板１０側の係止開口部１８との係合を外し、この状態で補助基板ケース４０を上に持ち上げて摺動させ、上方に外す。さらに、左の補助基板ケース５０の係止爪５６を押して保持台板１０側の係止開口部１９との係合を外し、この状態で補助基板ケース５０を上に持ち上げて摺動させ、上方に外す。
【００３１】
この状態で、保持台板１０上における主基板ケース３０の両側が空いた状態となり、主基板ケース３０を左側に水平に移動させ、主基板ケース３０が挟持縁部１７から外れた状態となり、主基板ケース３０は保持台板１０から前方に取り出すことができる。
【００３２】
なお、左の補助基板ケース５０を右の補助基板ケース４０より先に外すこともできるが、左の補助基板ケース５０を先に外した場合でも、右の補助基板ケース４０の鉤形係合縁部４３が主基板ケース３０の鉤形係合縁部３４に係合しているため、主基板ケース３０は右の補助基板ケース４０を外した後にしか外すことができない。
【００３３】
このように、主制御基板Ａを内蔵した主基板ケース３０は、その両側の補助基板ケース４０、５０を保持台板１０から取り外した後でなければ、外すことができず、遊技場で営業時間中に、非常に短時間のうちに主基板ケース３０を不正交換することはできなくなる。しかし、主基板ケース３０、補助基板ケース４０、５０は、保持台板上に着脱可能に取り付けられており、遊技機の保守点検、修理、改良等の際には、それらの基板ケースを何ら工具を用いることなく取外すことができる。
【００３４】
図９〜図１１は他の実施例の基板収納ケース装置を示している。この基板収納ケース装置は、保持台板６０、主基板ケース８０、補助基板ケース９０、及び補助基板ケース９５から構成される。保持台板６０は、主基板ケース８０を保持させる主基板ケース保持部６１を中央部に設け、その左右両側に補助基板ケース保持部６２、６３を設けて、平板状に形成されている。
【００３５】
主基板ケース保持部６１は、大型の主基板ケース８０を保持するために、下部二箇所に係止爪６４、６５を設け、両側部に主基板ケース８０の両側縁部をガイドするガイド部６６、６７を前方に突出して設け、そのガイド部６６、６７に係合凸部６８、６９を設け、係合凸部６８、６９で主基板ケース８０の両側縁部を係合保持する構造である。
【００３６】
また、その下の左右の補助基板ケース保持部６２、６３には、後述の補助基板ケース９０、９５の背面に設けた係止凹部９３、９８が係止されるための係止爪７５、７６が形成されると共に、その両側に鉤形係合部７２、７３、７４が補助基板ケース９０、９５の両側縁部を係合して保持するように突設されている。
【００３７】
なお、図では省略されているが、主基板ケース８０は、上記と同様に、矩形のケース板上を覆うようにケースカバーを被せて矩形箱状に構成され、内部には上記と同様に主制御基板が収納される。また、補助基板ケース９０、９５も、上記と同様に、矩形のケース板上を覆うようにケースカバーを被せて矩形箱状に構成され、内部に補助制御基板としてのランプ制御基板、音声制御基板が各々収納される。
【００３８】
上記構成の保持台板６０は、パチンコ遊技機内の保護カバーの背面側に固定され、その保持台板６０上には、図９に示すように、上記主基板ケース８０及び補助基板ケース９０、９５が取外し可能に装着される。
【００３９】
保持台板６０上に主基板ケース８０及び補助基板ケース９０、９５を取り付ける場合、先ず、主基板ケース８０を保持台板６０の上方からその主基板ケース保持部６１に差し込むように、装着する。このとき、主基板ケース８０を主基板ケース保持部６１に差し込むと、その両側縁部がガイド部６６、６７にガイドされながら下方に摺動し、保持台板６０の下部の係止爪６４、６５が主基板ケース８０の下部の係止開口部８１、８２に係止され、定位置に嵌着される。
【００４０】
次に、補助基板ケース９０、９５を保持台板６０の下部両側の補助基板ケース保持部６２、６３に前方から装着する。このとき、補助基板ケース９０、９５の両側縁部を、補助基板ケース保持部６２、６３の両側に突設された鉤形係合部７２、７３、７４に係合させるように、両補助基板ケース９０、９５をはめ込み、その後、補助基板ケース９０、９５の位置を少し上げるように押し上げる。
【００４１】
これにより、図１０に示す如く、保持台板６０の下部両側に設けた係止爪７５、７６が補助基板ケース９０、９５の裏面に設けられた係止凹部９３と９８に係止され、補助基板ケース９０、９５の両側縁部が鉤形係合部７２、７３、７４に係合されることによって、補助基板ケース９０、９５は、確実に補助基板ケース保持部６２、６３上に保持される。このとき、補助基板ケース９０、９５は、図１０に示す如く、主基板ケース８０の下部を覆って装着され、特に、補助基板ケース９０、９５の下部の係止開口部８１、８２と保持台板６０の下部の係止爪７５、７６が補助基板ケース９０、９５によって覆い隠されることになる。
【００４２】
従って、主基板ケース８０を取外す際には、図１１のように、先ず、保持台板６０の下部両側の係止爪７５、７６を押して、係止凹部９３と９８との係合を外し、補助基板ケース９０、９５を保持台板６０上から取り外す。そして、保持台板６０上の主基板ケース８０を、その係止開口部８１、８２を係止している係止爪６４、６５を外し、取り外すことになる。このように、主制御基板を内蔵した主基板ケース８０は、補助基板ケース９０、９５を保持台板６０から取り外した後でなければ、外すことができず、遊技場で営業時間中に、非常に短時間のうちに主基板ケース８０を不正交換することはできなくなる。
【００４３】
なお、上記実施例における保持台板１０、６０は、パチンコ遊技機の保護カバー５と一体に形成することもできる。また、上記実施例では、主基板ケース３０、８０及び補助基板ケース４０、５０、９０、９５を保持台板１０、６０に対し、係止爪４６、５６、６４、６５、７５、７６を使用して係止・固定したが、クリップ等他の係止締付手段を用いて上記基板ケースを係止・固定することもできる。
【００４４】
以上説明したように、本発明のパチンコ遊技機の基板収納ケースの着脱構造によれば、保持台板の主基板ケース保持部上から主基板ケースを取り外す場合、先ず、補助基板ケース係止手段の係止を外して補助基板ケース保持部から補助基板ケースを取外し、その後、主基板ケースを補助基板ケース保持部側に移動させることにより、主基板ケース係止手段の係止を解除して、主基板ケースを取り外すから、主制御基板を収納した主基板ケースは、補助基板ケースを保持台板から取り外した後でなければ、外すことができず、不正行為を行う者が遊技場で営業時間中に、非常に短時間のうちに主基板ケースを不正交換する行為を未然に防止することができる。
【図面の簡単な説明】
【００４５】
【図１】本発明の一実施形態を示すパチンコ遊技機の背面図である。
【図２】保持台板の斜視図である。
【図３】主基板ケースの斜視図である。
【図４】（ａ）は補助基板ケース４０の斜視図、（ｂ）は補助基板ケース５０の斜視図である。
【図５】補助基板ケースを保持台板に装着する際の斜視図である。
【図６】主基板ケースを保持台板に装着する際の斜視図である。
【図７】主基板ケースと補助基板ケースを保持台板に装着した斜視図である。
【図８】補助基板ケースを保持台板から取り外す際の斜視図である。
【図９】他の実施例を示す保持台板に装着する際の斜視図である。
【図１０】他の実施例の主基板ケースと補助基板ケースを保持台板に装着した状態の斜視図である。
【図１１】他の実施例の補助基板ケースを保持台板から取り外す際の斜視図である。
【符号の説明】
【００４６】
６０−保持台板
６１−主基板ケース保持部
６２−補助基板ケース保持部
６３−補助基板ケース保持部
６４、６５−係止爪
８０−主基板ケース
９０、９５−補助基板ケース
【図１】
0004555318.tif 000002
【図２】
0004555318.tif 000003
【図３】
0004555318.tif 000004
【図４】
0004555318.tif 000005
【図５】
0004555318.tif 000006
【図６】
0004555318.tif 000007
【図７】
0004555318.tif 000008
【図８】
0004555318.tif 000009
【図９】
0004555318.tif 000010
【図１０】
0004555318.tif 000011
【図１１】
0004555318.tif 000012